(57)【要約】【課題】二輪車の解施錠の手間を省き、かつ安全性の高いシステムを提供すること。【解決手段】走行検知部２は、入力部４から問い合わせがあった場合、現在スタンドが立っているか否かに応じて、走行中か停止中かを判断し、その結果を入力部４に送る。図１（ａ）の場合には、停止中である旨を入力部４に送る。入力部４は、走行検知部２から停止中の旨の情報を得た場合、施錠を行ってもよいと判断し、解施錠部３に施錠の指示を出す。解施錠部３は、入力部４から施錠の指示を受け取ると、自転車１の施錠を行う。このようにして、利用者は自転車１に施錠されたことを確認し、その場を後にする。【選択図】図１
2010089521.tif 000002
【特許請求の範囲】
【請求項１】
車両と、前記車両に取り付けた無線通信部と無線通信を行う携帯無線装置とから構成される車両制御システムであって、
前記車両には、前記車両が走行中か否かを検知する走行検知部と、前記車両を駆動またはそれを補助する駆動手段と、前記駆動手段を制御するための制御手段とを備え、
前記走行検知部によって車両が走行中でないと判断した場合には、前記制御手段は前記携帯無線装置からの走行条件入力信号に応じて前記駆動手段を制御し走行条件を可変とし、前記走行検知部によって車両が走行中と判断した場合には、前記制御手段は前記携帯無線装置からの走行条件入力信号に応じない車両制御システム。
【請求項２】
車両が走行中か否かを検知する走行検知部と、携帯無線装置との通信を行なう無線通信部と、前記車両を駆動またはそれを補助する駆動手段と、前記駆動手段を制御するための制御手段とで構成される車両制御ユニットであって、
前記走行検知部によって前記車両が走行中でないと判断した場合には、前記制御手段は前記携帯無線装置からの走行条件入力信号に応じて前記駆動手段を制御する走行条件を可変とし、
前記走行検知部によって車両が走行中と判断した場合には、前記制御手段は前記携帯無線装置からの走行条件入力信号に応じない車両制御ユニット。
【請求項３】
走行検知部は速度検知手段を備え、
制御手段は、携帯無線装置から送信されてくる電文と前記速度検知手段の出力に応じて、駆動手段を制御する制御量を可変させる請求項２の車両制御ユニット。
【請求項４】
走行検知部は、車両の走行時間、走行距離、前記踏力検知手段で検出される踏力情報のいずれかを前記無線通信部を介して、前記携帯無線装置へ送信する請求項２から４のいずれか１項に記載の車両制御ユニット。
【請求項５】
携帯無線装置から車両へ送信される電文には、制御手段の制御量または制御時間情報を含んでいる請求項２から５のいずれか１項に記載の車両制御ユニット。
【請求項６】
携帯無線装置は、前記携帯無線装置が運動した量を検出する運動量検出手段と、運動量検出手段に応じて車両制御ユニット内の駆動手段の制御量を算出する携帯演算手段とを備える請求項２から６のいずれか１項に記載の車両制御ユニット。
【請求項７】
携帯無線装置は、時刻情報を出力する時刻出力手段と、時刻出力手段に応じて前記解施錠ユニットの駆動手段の制御量を算出するための携帯演算手段とを備える請求項２から７のいずれか１項に記載の車両制御ユニット。
【発明の詳細な説明】
【技術分野】
【０００１】
本発明は、自転車の使用者にとって最適な制御を行うための車両制御システムを提供するものである。
【背景技術】
【０００２】
近年、環境問題や個人の健康が重要視される中、自転車の利用が高まってきている。最近の自転車では、坂道を登る際のアシストを行う電動自転車も増えてきており、高価格化が進んでいる。このような中で、自転車の盗難件数も増えてきている。よって、利用者は、自転車に鍵をつけ、解施錠を行うことが一般的になっている。この場合、利用者は駐輪時に自転車の前輪または後輪に取り付けられている鍵を使って施錠し、施錠した鍵を持ち歩く。そして、自転車に乗る際には、所持している鍵を鍵穴に指して解錠する。
【０００３】
ここで、従来の解施錠の方法では、自転車の前輪または後輪に取り付けられている鍵部のロック爪を押し込むことで施錠して鍵を抜き取り、解錠時は持ち歩いた鍵を鍵部に挿入してロック爪をはずすことにより解錠することとなるが、無理な体勢での解施錠を強いられると共に、手先や腕が車輪その他と接触する可能性が高く、衣服が汚れたりする場合が散見される。これに対して、遠隔から解施錠できるようなシステムが検討されている。これは、利用者が無線通信可能なキーを有し、キーに付属するボタン等を押下するだけで、遠隔で自転車の解施錠ができる仕組みである。
【特許文献１】特開平１０−１９６１８８号公報
【特許文献２】特開２０００−１９０８８５号公報
【特許文献３】特開２０００−２１３２１７号公報
【発明の開示】
【発明が解決しようとする課題】
【０００４】
しかしながら、上記従来の遠隔解施錠には、以下のような問題点がある。第１に、遠隔でキーのボタン等を押下して解施錠を行うが、走行中に誤ってキーのボタンを押下した場合、施錠機構が動作して、転倒等の重大事故を引き起こす可能性がある。よって、遠隔での操作は解錠のみに限定しているものもあるが、施錠は手動とすると従来の問題を解決することができない。第２に、キー側のボタン等を押下して自転車の解施錠を行う場合、利用者は解施錠時にキーを探す必要があるということである。例えば、自転車施錠後に、キーをカバン等に入れている場合、駐輪場に戻ってきた場合にカバンの中からキーを探すことになるが、どこに入れたか忘れる場合が考えられ、探すのに手間がかかる、特に、夜間は探すのが大変である。このように、せっかく解施錠を遠隔でできるようにしても、遠隔で行う為のキーを探す手間は、従来の手動で解施錠を行う場合と同様に発生する。以上にように、上記従来の遠隔解施錠には大きな問題があった。
【０００５】
本発明は、上記事情に鑑みてなされたもので、使用者にとって最適な制御を行うための車両制御システム、及び車両制御ユニットを提供することを目的とする。
【課題を解決するための手段】
【０００６】
上記課題を解決するために、本発明の車両制御システム及び車両制御ユニットでは、車両外部から送信されてくる電文を受信する無線通信部と、車両が走行中か否かを判断する走行検知部とを備えている。このため車両の走行状態に応じて、外部から送信されてくる電文の受信を制限することができる。したがって、車両が駐車中であれば、使用者が携帯無線装置を持って近づいた際に、自動的に車両を制御することができる。また、同時に携帯無線装置内に使用者に合った仕様を組み込んでおけば、使用者が車両に近づいただけで
、カスタマイズされた仕様を車両に反映させることが可能になる。
【発明の効果】
【０００７】
本発明の車両制御システム及び車両制御ユニットによれば、個々人の嗜好や安全性に沿った最適制御を自動で行うことができ、利用者の利便性がいちじるしく向上させることができる。
【発明を実施するための最良の形態】
【０００８】
第１の発明は、車両と、前記車両に取り付けた無線通信部と無線通信を行う携帯無線装置とから構成される車両制御システムであって、前記車両には、前記車両が走行中か否かを検知する走行検知部と、前記車両を駆動またはそれを補助する駆動手段と、駆動手段を制御するための制御手段とを備え、前記走行検知部によって車両が走行中でないと判断した場合には、前記制御手段は前記携帯無線装置からの走行条件入力信号に応じて前記駆動手段を制御し走行条件を可変とし、前記走行検知部によって車両が走行中と判断した場合には、前記制御手段は前記携帯無線装置からの走行条件入力信号に応じないよう制御を行なうことで、車両が停車中のみ、車両に搭載されている走行条件を更新することができ、安全に配慮した最適制御が可能となる。
【０００９】
第２の発明は、車両が走行中か否かを検知する走行検知部と、携帯無線装置との通信を行なう無線通信部と、前記車両を駆動またはそれを補助する駆動手段と、駆動手段を制御するための制御手段とで構成される車両制御ユニットであって、前記走行検知部によって前記車両が走行中でないと判断した場合には、前記制御手段は前記携帯無線装置からの走行条件入力信号に応じて前記駆動手段を制御する走行条件を可変とし、前記走行検知部によって車両が走行中と判断した場合には、前記制御手段は前記携帯無線装置からの走行条件入力信号に応じないように制御することで、車両に搭載されている走行条件を車両が停車しているときのみ更新することができ、安全に配慮した最適制御ができるとともに、単純なアルゴリズムで情報を反映させることが可能となる。
【００１０】
第３の発明は、走行検知部は、速度検知手段を備え、前記制御手段は、前記携帯無線装置から送信されてくる電文と前記速度検知手段の出力に応じて、前記駆動手段を制御する制御量を可変させることで、使用者の嗜好の設定を固定値だけでなく、車両の速度に応じて可変することができ、より多彩な使用者の嗜好および、最適性を実現することができる。    
【００１１】
第４の発明は、走行検知部は、車両の走行時間、走行距離、前記踏力検知手段で検出される踏力情報のいずれかを前記無線通信部を介して、前記携帯無線装置へ送信することで、使用者が車両をどのように利用しているかを知り得ることができ、使用者の健康状態、体力の把握、維持、管理に役立てることができる。加えて、送信された情報を用いれば、次回、使用者が車両を利用する際に、反映する走行条件を学習させることができる。
【００１２】
第５の発明は、携帯無線装置から前記車両へ送信される電文には、前記制御手段の制御量または、制御時間情報を含んでいることで、車両の走行条件を設定する際に、使用者の嗜好設定を時間に関係した最適制御をすることができ、より多彩な設定が可能になる。
【００１３】
第６の発明は、携帯無線装置は、携帯無線装置が運動した量を検出する運動量検出手段と、運動量検出手段に応じて車両制御ユニット内の駆動手段の制御量を算出する携帯演算手段とを備えることで、使用者が車両に乗っていないときの運動状態や、行動パターンを把握することができる。これにより、使用者が車両に乗っていない期間の行動パターン等を踏まえ、車両の走行条件を携帯無線装置内で学習することができ、次回、使用者が車両へ乗る際により多彩な最適制御が可能となる。
【００１４】
第７の発明は、携帯無線装置は、時刻情報を出力する時刻出力手段と、時刻出力手段に応じて前記解施錠ユニットの駆動手段の制御量を算出するための携帯演算手段とを備えることで、時刻に応じ車両の走行条件を更新することができ、より使用者にあった最適制御が可能となる。
【００１５】
以下、本発明の実施の形態について、図面を参照しながら説明する。なお、この実施の形態によって本発明が限定されるものではない。
【００１６】
（実施の形態１）
図１に、本発明の実施の形態１のシステム構成図を示す。図１において、１は自転車である。２は走行検知部である。３は解施錠部である。４は入力部である。なお、図１において、（ａ）は自転車１が停止中の場合であり、（ｂ）は自転車１が走行中の場合である。
【００１７】
図１（ａ）において、動作を図３のフローチャートを用いながら説明する。利用者が自転車１を停めてスタンドを立てた状態でまだ施錠をしていない（解錠中）の場合、利用者は、その後、自転車１に施錠を行う。この場合、利用者は自転車１の入力部４を操作して自転車１を施錠する。具体的には、例えば、入力部４は押しボタン式のスイッチになっており、利用者は当該スイッチを押すことにより施錠を行う（図３のＳ３１）。このようにして利用者が施錠操作を行った場合、入力部４は現在「解錠中」である状態で入力信号を受信したことで、施錠動作を行おうとする（図３のＳ３２）。ここで、入力部４は、走行検知部２に問い合わせを行う。問い合わせ内容は、現在、自転車１が走行中か否かについてである。
【００１８】
図１において、走行検知部２は自転車１のスタンドに取り付けられている。そして、走行検知部２は、自転車１のスタンドが立っているかいないかを検知している。これは、スタンドが立っている場合は、自転車１は停止中、すなわち走行していない状態であり、スタンドが立っていない場合は、自転車１は走行中の状態とみなすことができる為である。
【００１９】
走行検知部２は、入力部４から問い合わせがあった場合、現在スタンドが立っているか否かに応じて、走行中か停止中かを判断し、その結果を入力部４に送る。図１（ａ）の場合には、停止中である旨を入力部４に送る。入力部４は、走行検知部２から停止中の旨の情報を得た場合（図３のＳ３３）、施錠を行ってもよいと判断し、解施錠部３に施錠の指示を出す。解施錠部３は、入力部４から施錠の指示を受け取ると、自転車１の施錠を行う（図３のＳ３４）。
【００２０】
なお、図１では、解施錠部３は自転車１の後輪に取り付けられており、何らかの方法で自転車１の後輪をロック状態にして施錠する。これで、自転車１は「解錠中」から「施錠中」に遷移する。このようにして、利用者は自転車１に施錠されたことを確認し、その場を後にする。
【００２１】
次に、利用者が自分の自転車１の場所に戻ってきて、これから自転車１に乗ろうとする場合について説明する。利用者が今から自転車１に乗ろうとする場合、先程と同じように、入力部４のスイッチを押す（図３のＳ３１）。ここで、入力部４は、現在「施錠中」である状態で入力信号を受信したことで、解錠動作を行おうとする（図３のＳ３２）。ここで、入力部４は、走行検知部２に問い合わせを行う。問い合わせ内容は、現在、自転車１が走行中か否かについてである。
【００２２】
走行検知部２は、入力部４から問い合わせがあった場合、現在スタンドが立っているか
否かに応じて、走行中か停止中かを判断し、その結果を入力部４に送る。図１（ａ）の場合には、停止中である旨を入力部４に送る。入力部４は、走行検知部２から停止中の旨の情報を得た場合（図３のＳ３３）、解錠を行ってもよいと判断し、解施錠部３に解錠の指示を出す。解施錠部３は、入力部４から解錠の指示を受け取ると、自転車１の解錠を行う（図３のＳ３４）。これで、自転車１は「施錠中」から「解錠中」に遷移する。このようにして、利用者は自転車１が解錠されたことを確認し、スタンドをはずして自転車に乗る。
【００２３】
次に、利用者が走行中に誤って施錠ボタンを押下した場合について、図１（ｂ）及び図３のフローチャートを用いながら説明する。入力部４は、現在「解錠中」である状態で入力信号を受信したことで（図３のＳ３１）、施錠動作を行おうとする（図３のＳ３２）。ここで、入力部４は、走行検知部２に問い合わせを行う。問い合わせ内容は、現在、自転車１が走行中か否かについてである。
【００２４】
走行検知部２は、入力部４から問い合わせがあった場合、現在スタンドが立っているか否かに応じて、走行中か停止中かを判断し、その結果を入力部４に送る。図１（ｂ）の場合には、走行中である旨を入力部４に送る。入力部４は、走行検知部２から走行中の旨の情報を得た場合、施錠を行ってはいけないと判断し（図３のＳ３３）、解施錠部３に施錠の指示を出さない。結果として、自転車１は施錠されない。これにより、利用者が走行中に誤って施錠ボタンを押下した場合でも、自転車１が施錠されない為、図１では後輪がロックされることがなく、重大事故を防ぐことができる。
【００２５】
以上のように、利用者は、自転車を１タッチで容易に施錠したり解錠したりすることができると共に、誤った操作による施錠の結果の重大事故を防ぐことができる。
【００２６】
なお、上記実施の形態において、入力部４と走行検知部２、入力部４と解施錠部３の情報のやり取りは、それぞれを有線で接続して行ってもよいし、無線で接続して行ってもよい。
【００２７】
また、上記実施の形態においては、入力部４が自転車１の現在の状態、すなわち「解錠中」か「施錠中」かの状態を有し、それに応じて入力部４に入力があった場合に、その入力が解錠要求なのか施錠要求なのかを判断する構成としたが、入力部４に、解錠スイッチと施錠スイッチを設け、どちらのスイッチが操作されたかによって解錠要求なのか施錠要求なのかを判断する構成としてもよいし、入力部４は、「解錠中」か「施錠中」かの状態を有せず、解施錠部３が有してもよい。
【００２８】
さらに、上記実施の形態では、入力部４が走行検知部２に走行状態を問い合わせし、その結果を取得して解施錠部３に指示を出すか否かを判断する構成としたが、走行検知部２が常時、もしくは走行状態に変化があった時にその旨を入力部４または解施錠部３に送り、入力部４または解施錠部３で走行中か否かの状態を保持する方法でもよい。
【００２９】
（実施の形態２）
図２に、本発明の実施の形態２のシステム構成図を示す。なお、図１と同じ役割のものは説明を省略する。図２において、５は無線キーである。
【００３０】
図２において、動作を図４のフローチャートを用いながら説明する。自転車１の利用者は、無線キー５を常に携帯している。すなわち、自転車１の利用者は、カバンやポケット等に常に無線キー５を携帯しており、無線キー５は自転車１の所有者本人であることを証明するものとみなすことができる。
【００３１】
ここで、実施の形態１と同様に、利用者が自転車１を停める場合を考える。図２において、利用者が自転車１を停めてスタンドを立てた状態でまだ施錠をしていない（解錠中）の場合、利用者は、その後、自転車１に施錠を行う。
【００３２】
この場合、利用者は自転車１の入力部４を操作して自転車１を施錠する。具体的には、例えば、入力部４は押しボタン式のスイッチになっており、利用者は当該スイッチを押すことにより施錠を行う（図４のＳ４１）。このようにして利用者が施錠操作を行った場合、入力部４は現在「解錠中」である状態で入力信号を受信したことで、施錠動作を行おうとする（図４のＳ４２）。ここで、入力部４は、走行検知部２に問い合わせを行う。問い合わせ内容は、現在、自転車１が走行中か否かについてである。
【００３３】
走行検知部２は、入力部４から問い合わせがあった場合、現在スタンドが立っているか否かに応じて、走行中か停止中かを判断し、その結果を入力部４に送る。図２の場合には、停止中である旨を入力部４に送る。入力部４は、走行検知部２から停止中の旨の情報を得た場合（図４のＳ４３）、次に無線キー５に対して無線通信を行う。
【００３４】
ここで、利用者が自転車１の解錠中に施錠を行う場合、前述のように利用者が入力部４のスイッチを押下するので、利用者は自転車１の傍にいるはずである。よって、当該利用者が所持している無線キー５も自転車１の傍にあるはずである。
【００３５】
ゆえに、自転車１の入力部４が無線キー５に対して無線通信を行おうとした場合、電波が十分届く範囲内に無線キー５は存在しているはずなので、入力部４と無線キー５の無線通信は成功する。ここで、入力部４は無線キー５との無線通信が成功した場合、先程入力部４のスイッチを押下したのが利用者本人であると認識する。すなわち、本人認証が成立したこととなる（図４のＳ４４）。
【００３６】
入力部４は、無線キー５との無線通信が成功し本人認証が成立した場合、施錠を行ってもよいと判断し、解施錠部３に施錠の指示を出す。解施錠部３は、入力部４から施錠の指示を受け取ると、自転車１の施錠を行う（図４のＳ４５）。これで、自転車１は「解錠中」から「施錠中」に遷移する。このようにして、利用者は自転車１に施錠されたことを確認し、その場を後にする。
【００３７】
一方、利用者が自分の自転車１の場所に戻ってきて、これから自転車１に乗ろうとする場合についても同様である。すなわち、利用者が今から自転車１に乗ろうとする場合、先程と同じように、入力部４のスイッチを押す（図４のＳ４１）。ここで、入力部４は、現在「施錠中」である状態で入力信号を受信したことで、解錠動作を行おうとする（図４のＳ４２）。ここで、入力部４は、走行検知部２に問い合わせを行う。問い合わせ内容は、現在、自転車１が走行中か否かについてである。
【００３８】
走行検知部２は、入力部４から問い合わせがあった場合、現在スタンドが立っているか否かに応じて、走行中か停止中かを判断し、その結果を入力部４に送る。図２の場合には、停止中である旨を入力部４に送る。入力部４は、走行検知部２から停止中の旨の情報を得た場合（図４のＳ４３）、次に無線キー５に対して無線通信を行う。入力部４は無線キー５との無線通信が成功した場合、先程入力部４のスイッチを押下したのが利用者本人であると認識する。すなわち、本人認証が成立したこととなる（図４のＳ４４）。
【００３９】
入力部４は、無線キー５との無線通信が成功し本人認証が成立した場合、解錠を行ってもよいと判断し、解施錠部３に解錠の指示を出す。解施錠部３は、入力部４から解錠の指示を受け取ると、自転車１の解錠を行う（図４のＳ４５）。これで、自転車１は「施錠中」から「解錠中」に遷移する。このようにして、利用者は自転車１が解錠されたことを確
認し、スタンドをはずして自転車に乗る。
【００４０】
次に、悪意を持った人が、自転車１を盗もうとした場合を考える。自転車１が「施錠中」に、悪意を持った人が入力部４のスイッチを押下した場合（図４のＳ４１）、走行検知部２は自転車１が停止中と判断する（図４のＳ４３）が、入力部４と無線キー５との無線通信は成功しない。なぜなら、自転車１の利用者が傍にいない為で、その為本人認証ができないこととなる（図４のＳ４４）。よって、解施錠部３が動作することはなく、結果として、自転車１は解錠されない。
【００４１】
以上のように、無線キー５を使った本人認証の仕組みを構築することで、自転車１の停止中のみ可能な解施錠が、自転車１の所有者本人しか実現できないこととなり、解施錠の安全性に加え、盗難防止観点からのセキュリティ性の向上も実現することが可能となる。なお、自転車１を停めて施錠する場合においても、無線キー５との本人認証を行うこともできる。こうすることで、他人がいたずら目的で施錠するといったことを防ぐことができる。
【００４２】
また、本実施の形態においては、自転車１の所有者が携帯している無線キー５には、ボタン等のスイッチがついておらず、自転車１の解施錠は、自転車１に付属している入力部４のスイッチ操作で実現できる。すなわち、無線キー５に付属しているスイッチで自転車１の解施錠を行う方式ではない。これは、自転車１の解施錠を行う場合に、利用者は無線キー５をカバンやポケット等から探す必要がないことを意味する。つまり、自転車１の所有者は、無線キー５をどこでもよいから携帯しているのみで、自転車１の解施錠が手軽にできることとなる。これは、鍵を探す手間や鍵を挿入したり抜いたりする手間が必要ないことを意味し、ユーザーの利便性を大幅に向上させることができる。
【００４３】
以上、本実施の形態では、入力部４が走行検知部２の状態を把握した後、無線キー５と本人認証を行う方式で説明したが、入力部４に利用者スイッチ押下が発生した時点で、先に無線キー５と本人認証を行った後、本人認証が成功したら走行検知部２に対して走行状態を確認する手順としてもよい。
【００４４】
また、実施の形態１で説明したように、入力部４と走行検知部２、入力部４と解施錠部３の情報のやり取りは、それぞれを有線で接続して行ってもよいし、無線で接続して行ってもよい。
【００４５】
また、入力部４が自転車１の現在の状態、すなわち「解錠中」か「施錠中」かの状態を有し、それに応じて入力部４に入力があった場合に、その入力が解錠要求なのか施錠要求なのかを判断する構成としたが、入力部４に、解錠スイッチと施錠スイッチを設け、どちらのスイッチが操作されたかによって解錠要求なのか施錠要求なのかを判断する構成としてもよいし、入力部４は、「解錠中」か「施錠中」かの状態を有せず、解施錠部３が有してもよい。
【００４６】
さらに、入力部４が走行検知部２に走行状態を問い合わせし、その結果と、無線キー５との本人認証の結果を合わせて、解施錠部３に指示を出すか否かを判断する構成としたが、走行検知部２が常時、もしくは走行状態に変化があった時にその旨を入力部４または解施錠部３に送り、入力部４または解施錠部３で走行中か否かの状態を保持する方法でもよい。また、無線キー５との本人認証を行うのが、入力部４でなくても、走行検知部２であったり、解施錠部３であったりしてもよい。
【００４７】
ところで、入力部４と無線キー５間で無線で行われる本人認証であるが、具体的には、自転車１のＩＤや無線キー５のＩＤを無線通信し、当該ＩＤの照合を用いて本人認証を行
う、といった方式が考えられる。
【００４８】
例えば、自転車１には、何らかの方法で事前に無線キー５のＩＤが記憶されており、無線キー５からの送信電波に搭載されている無線キー５のＩＤが、自ら記憶しているＩＤと一致した場合に、本人認証が成功とみなす方式や、逆に無線キー５には予め自転車１のＩＤが何らかの方法で事前に記憶されており、無線キー５は自転車１に対する送信電波に当該自転車１のＩＤを搭載し、自転車１は受信時に受信したＩＤと自らのＩＤを照合することで本人認証を行う方式もある。
【００４９】
同様のことが無線キー５側でも実現でき、自転車１から無線キー５に送信される送信電波に搭載されている自転車１のＩＤ、もしくは無線キー５のＩＤを、無線キー５は受信時に照合することもできる。このようにすることで、自転車１と無線キー５間の無線通信の信頼性が高まり、本人認証精度が向上する。
【００５０】
また、自転車１は無線キー５からの電波を受信する際の受信電界強度を測定し、その結果で本人認証の成功可否を判断することもできる。具体的には、自転車１には予め決められた受信電界強度閾値が記憶されており、無線キー５から電波を受信する際に受信電界強度を測定して、その結果が予め記憶されている閾値を上回った場合に本人認証を成功とみなすといった方法である。これは、受信電界強度をベースに距離検知を行う考え方であり、受信電界強度が低ければ、自転車１と無線キー５との距離が離れており、逆に受信電界強度が高ければ、自転車１と無線キー５との距離が近いという判断である。これにより、自転車１の所有者が自転車１の近傍にいるかいないかを判別することができ、本人認証の確実性を高めると共に、例えば、悪意を持った人物が、自転車１を盗もうとした場合に、所有者が自転車１から離れる微妙なタイミングで解錠をするといった手口を防ぐことができる。ここで、受信電界強度の判断は、１度の測定で判断をしてもよいし、複数回測定してその中央値や平均値で判断してもよい。複数回測定することで、フェージングによる受信電界強度変動の影響を排除し、判断精度を高めることができる。
【００５１】
さらに、自転車１と無線キー５間の無線通信においては、通信データに暗号化を施すこともできる。例えば、予め自転車１と無線キー５双方に共通した鍵（暗号鍵）を持たせ、当該暗号鍵を使って、無線通信の暗号化や復号化を行うことで、データの秘匿性が高まり、それによって、他人が悪意を持ってデータを操作するといったことができにくくなる。しいては、本人認証の精度を大きく高めることができる。
【００５２】
なお、自転車１と無線キー５間の無線通信に用いる電波は、例えば、４００ＭＨｚ帯に代表されるような特定小電力無線を用いて行うことも可能である。それ以外にも、微弱電波、赤外線、無線ＬＡＮ、無線タグ、Ｂｌｕｅｔｏｏｔｈ（登録商標）、Ｚｉｇｂｅｅ（登録商標）と言ったような通信媒体を利用してもよい。
【００５３】
以上、実施の形態１、実施の形態２において、走行検知部２は自転車のスタンドが立っているか否かを利用して判断する説明をしたが、他の方法で走行中か否かを検出してもよい。例えば、自転車１の車輪部にセンサーを設けて、車輪が回転しているか否かを検知するような方法でもよい。
【００５４】
（実施の形態３）
図５に、第３の実施の形態のシステム概要図を示す。図５において、自転車１には無線装置が搭載されており、当該自転車を複数の使用者でシェアして使用しているとする。そして、各個人が無線キー５を所有している。この無線キー５は、各個人が自転車に乗降する場合に無線通信を利用して、手動で自転車の解施錠を行わなくても、自動で解施錠が実現される。いわゆる、スマートエントリー機能の自転車版である。
【００５５】
複数（図５では４人）の使用者は、それぞれ年齢も体格も異なる。そして、趣味嗜好も異なり、それぞれが、自分の好みに合ったスタイルで１台の共用自転車に乗車したいと考えている。ここで、自転車１にサドル高の自動調整機能が付加されているとする。
【００５６】
次に、ある使用者が自転車１に乗車する場合を考える。その使用者は、自らの無線キー５を有して自転車１に近づく。そうすると、自転車１と使用者が有する無線キー５間で無線通信を行い、自転車１は使用者が近づいた（乗車しようとしている）と認識する。そうすると、自転車１はサドル高の自動調整機能を動作させ、サドル高を高くする（使用者の体格に合わせた最適なサドル高にする）。
【００５７】
一方、他の使用者が同様に自転車１に乗車しようとした時は、サドル高を低くする（他の使用者の体格に合わせた最適なサドル高にする）。このように、乗車する人に合わせた最適なサドル高を自動的に調整することで、利用者の使い勝手が非常に向上する。
【００５８】
図６に実施の形態３にける自転車１に搭載する解施錠ユニットおよび無線キーの内部ブロックを示す。
【００５９】
自転車１に搭載する解施錠ユニットは、外部の無線キー５と無線通信を行なうための無線通信部６０１と自転車１が走行しているか否かを判断する走行検知部２と自転車１のサドル６０４の高さを調節する駆動手段６０３と、前記走行検知部２で自転車１が走行していない状態下で、外部の無線キー５からサドル６０４の高さ情報が送信され、前記無線通信部６０１で受信し、かつ無線キー５と自転車１との距離があらかじめ定められた距離あるいは電界強度レベルになったと判断し、前記電文に含まれているサドル６０４の高さ情報に応じて、前記駆動手段６０３を制御する制御手段６０２から構成されている。
【００６０】
無線通信部６０１は、アンテナを介してＲＦＩＤ（Ｒａｄｉｏ  Ｆｒｅｑｕｅｎｃｙ  Ｉｄｅｎｔｉｆｉｃａｔｉｏｎ：無線周波数識別）で使用されている短距離用電波やＵＷＢ（Ｕｌｔｒａ  Ｗｉｄｅ  Ｂａｎｄ：超広帯域無線）、微弱、特定小電力無線等を用いてペアリング処理によるキーユニット１２０と対に設定した識別コードが含まれる信号の送受信を所定のプロトコルに基づき制御を行い、増幅回路、変調回路、復調回路、位相同期回路、振幅制限回路、フィルタ回路、発振回路、位相比較回路、計数回路、アナログ・ディジタル変換回路、ディジタル変換回路、ミクサ、レベル検波回路などの回路が含まれる。
【００６１】
走行検出手段２は、自転車１の後輪に取り付けられている車両固定手段の位置情報によって自転車１が地面に固定されているかで走行状態を判断する方法や、自転車１の車輪に磁気を発する素子を、車輪を固定するフォークにリードスイッチを取り付け、車輪が回転することで速度を検知し走行を検知する方法、車軸に発電装置を取り付け、車輪が回転すると電圧検知ができる仕組にし、自転車１が走行しているか否かを判断するような構成をとる。
【００６２】
駆動手段６０３は、サドル６０４の高さを制御するためモータ、サドル６０４の高さを検出する位置検出手段から構成されている。
【００６３】
制御手段６０２は、前記無線通信部６０２を介して、所定のプロトコルで通信するための情報や、外部の無線キー５から送信されたサドル６０４の高さ情報をもとに駆動手段６０３を制御するためのデータ生成、前記走行検出手段２の情報を処理するために半導体等で構成したマイクロコンピュータ等の演算装置で構成されている。
【００６４】
一方、無線キー５は、自転車１内の無線通信部６０１と所定のプロトコルに沿って通信するために、キー無線通信手段６５０と、無線キー５の固有ＩＤや、無線キー５の所有者が自転車１に搭乗する際のサドル６０４の高さ情報を記憶する記憶手段６５１から構成されている。
【００６５】
キー無線通信手段６５０は、アンテナを介してＲＦＩＤ（Ｒａｄｉｏ  Ｆｒｅｑｕｅｎｃｙ  Ｉｄｅｎｔｉｆｉｃａｔｉｏｎ：無線周波数識別）で使用されている短距離用電波やＵＷＢ（Ｕｌｔｒａ  Ｗｉｄｅ  Ｂａｎｄ：超広帯域無線）、微弱、特定小電力無線等を用いてペアリング処理によるキーユニット１２０と対に設定した識別コードが含まれる信号の送受信を所定のプロトコルに基づき制御を行い、増幅回路、変調回路、復調回路、位相同期回路、振幅制限回路、フィルタ回路、発振回路、位相比較回路、計数回路、アナログ・ディジタル変換回路、ディジタル変換回路、ミクサ、レベル検波回路などの回路が含まれる。
【００６６】
記憶手段６５１は、無線キー５の固有ＩＤや、無線キー５の所有者情報、自転車１のサドル６０４の高さ情報を記憶するための半導体メモリー等で構成されている。
【００６７】
続いて、実施の形態３における自転車１のサドル６０４の高さ調整フローをについて図７を用いて説明していく。
【００６８】
はじめに自転車１の走行状態を走行検知部２で検出を行い、自転車１が走行していな状態を検出した場合は次ステップへ進み、走行状態にある場合は、このステップにとどまる（Ｓ７０１）。次に無線通信部６０１をあらかじめ定められた周期で起動し、外部の無線キーから送信されてくる電文を受信するために、キャリアセンス（ＣＳ確認）を行なう。ここであらかじめ定められた周期というのは、たとえば４秒周期で行なった場合や、はじめの２４時間は、４秒周期で、それ以降は８秒周期のように可変してもよい。
【００６９】
ここで、キャリアセンスを確認できない場合は、前ステップＳ７０１へ戻る。電波を検出できた場合には、次ステップへ進む（Ｓ７０２）。続いて、無線キー５との間で、認証通信を行なう。ここでは、自転車１とあらかじめ縁組みされた無線キー５とのみ認証通信が成立するような仕組みとなっている。また、同時に、無線キー５から送信されてくる電文から電界強度レベルを検出し、あらかじめ定められたレベル以上の電界強度を検出できた際に認証通信が成立する。これにより、自転車１と無線キー５の位置関係があらかじめ定められた距離、あるいはエリアに入ってこないと認証通信が成立しないことになる。ここで、認証通信が成立しない場合は、Ｓ７０１へ戻り、成立した場合は、次ステップへ遷移する（Ｓ７０３）。Ｓ７０３のステップで受信した電文には、無線キー５のＩＤの他に使用者の情報、サドル６０４の高さ情報が入っており、無線通信部６０１で復調を行なう（Ｓ７０４）。続いて、前ステップＳ７０４で受信したサドル６０４の高さ情報に応じて、駆動手段６０３でサドル６０４を制御する制御量を、制御手段６０２で生成する（Ｓ７０５）。Ｓ７０５で生成した制御量に応じて駆動手段６０３は、サドル６０４の高さを調整する（Ｓ７０６）。
【００７０】
以上のことから、図５のように自転車１に対し複数の無線キー５に個別のサドル高さ情報を記憶しておけば、使用者ごとに最適のサドルの高さを、自転車１に乗る前に自動調整することが可能となり、使用者の利便性が向上する。
【００７１】
（実施の形態４）
実施の形態４では、実施の形態３と同様、図５に示すように自転車１には、無線装置が搭載されており、当該自転車を複数の使用者でシェアして使用しているとする。その際、使用者各人が無線キー５を所有している。使用者ごとに自転車１の仕様を個別設定できる
ようになっている。実施の形態４では、電動自転車において、使用者ごとにそのアシスト量を可変するし仕組みを具備している。
【００７２】
図８に実施の形態４の自転車１に搭載する解施錠ユニットと無線キーの内部ブロック図を示す。実施の形態３と同様の機能を有する構成に関する説明は省略し図６と相違する自転車１内のブロック及び、無線キー５について説明を行なう。
【００７３】
図８において、自転車１の速度検出手段６０８は車輪や車軸の回転数より速度を検出する。制御手段６０２は、あらかじめ車両記憶手段６０９に記憶されている情報を基に、前記速度検出手段６０８で検知された速度量に応じて補助駆動手段６０６を制御する制御データを演算する。補助駆動手段６０６は、制御手段６０２で演算された制御データを基にペダル車軸６０７を制御する。
【００７４】
速度検出手段６０８は、車軸にホール素子等を用いた検出回路を組み、車軸の位置情報からパルスを生成し、パルスをカウントして速度に換算したり、リードスイッチを磁気素子でＯＮ／ＯＦＦし、その回数を単位時間当たりでカウント、あるいは周期を算出し速度に換算する。
【００７５】
補助駆動手段６０６は、制御手段６０２で算出された制御データを基に、ペダルが接続されているペダル車軸に直接あるいは間接的に回転力を加えるための動力であり、たとえばＤＣモータ等で構成されている。
【００７６】
車両記憶手段６０９は、フラッシュメモリー等の半導体素子で構成されている。また、ここには、入力が速度検出手段６０８で検出された速度情報、出力が補助駆動手段６０６の制御量になるような伝達関数、あるいは伝達関数の係数等が記憶されている。その表現方法はテーブルデータや関数等で表現されている。この伝達関数の一部は、無線キー５から送信される電文内に個別仕様設定情報として含まれている。無線キー５から送信されてくる個人仕様設定情報は、無線通信部６０１で受信・復調された後に制御手段６０２において、あらかじめ車両記憶手段６０９に記憶された伝達関数等とあわせて、個別仕様を反映した伝達関数を生成する。
【００７７】
図９（ａ）に自転車１内の車両記憶手段６０９に記憶されている速度検出手段６０８で検出した速度を補助駆動手段６０６へ加える制御量に変換するテーブルを示す。また、図９（ｂ）には無線キー５内の記憶手段６５１に記憶されている個別仕様設定情報を示す。
【００７８】
図９（ａ）では、伝達関数がテーブル形式で表現され、速度検出手段６０８で検出された速度０〜４に対して、補助制御手段６０６へ加えられる補助制御量Ｃ０〜Ｃ４が記憶されている。ここでＣ０〜Ｃ４は初期状態であり一般的な数値が入力されている。一方図９（ｂ）に示した個別仕様設定情報は、無線キー５を所有している使用者にカスタマイズされた速度に対する補助制御量が記載されている。ここでは補助制御量Ｃ０〜Ｃ４に対して、０、２、４、２、１という固有値が記憶されている。図９（ｂ）に記憶された個別仕様設定情報は、無線キー５のキー無線通信手段６５０から変調され、自転車１へ送信される。送信された情報は、自転車１内の無線通信部６０１で受信・復調され、制御手段６０２において、車両記憶手段６０９から読み出したデータ形式にあわせて、更新される。
【００７９】
無線キー５の記憶手段６５１に記憶されている情報は、使用者の個別情報、無線キーの識別ＩＤ、無線キー５の所有者情報、自転車１の車体情報などに加え、使用者の嗜好や健康状態、体力に応じて個別設定され情報が記憶され、これらを複数の情報を考慮し、自転車１内の補助駆動手段６０６の制御量を出力する伝達関数の係数を生成してもよい。これにより、無線キー５を保持した使用者が停車している自転車１にあらかじめ定められた距
離、エリアに近づいた際に、無線通信を行ない、無線キー５の記憶手段に記憶されている前記伝達関数の係数を電文に含め、自転車１と通信を行なうことで、電動自転車の補助駆動手段６０６の制御のカスタマイズを行い、利用者に合った仕様にすることが可能となる。
【００８０】
次に自転車１内の車両記憶手段６０９に記憶されている伝達関数に関し、無線キー５の記憶手段６１１に記憶されている使用者固有の伝達関数の係数を反映させる際のシーケンスを説明する。図１０はその際の処理フローを示している。
【００８１】
はじめに自転車１の走行状態を走行検知部２で検出を行い、自転車１が走行していない状態を検出した場合は次ステップへ進み、走行状態にある場合は、このステップにとどまる（Ｓ１００１）。次に無線通信部６０１をあらかじめ定められた時間に起動し、外部の無線キーから送信されてくる電文を受信するために、キャリアセンス（ＣＳ確認）を行なう。
【００８２】
ここで、キャリアセンスを確認できない場合は、前ステップＳ１００１へ戻る。電波を検出できた場合には、次ステップへ進む（Ｓ１００２）。続いて、無線キー５との間で、認証通信を行なう。ここでは、自転車１とあらかじめ縁組された無線キー５とのみ認証通信が成立するような仕組みとなっている。また、同時に、無線キー５から送信されてくる電文から電界強度レベルを検出し、あらかじめ定められたレベル以上の電界強度を検出できた際に認証通信が成立する。これにより、自転車１と無線キー５の位置関係があらかじめ定められた距離、あるいはエリアに入ってこないと認証通信が成立しないことになる。
【００８３】
ここで、認証通信が成立しない場合は、Ｓ１００１へ戻り、成立した場合は、次ステップへ遷移する（Ｓ１００３）。Ｓ１００３のステップで受信した電文には、無線キー５のＩＤの他に使用者の情報、速度検出手段６０８で検出した速度から補助駆動手段６０６の制御量を算出する伝達関数の係数が含まれており、無線通信部６０１で復調を行なう（Ｓ１００４）。続いて、車両記憶手段６０９に記憶されている伝達関数及び係数を制御手段６０２へ読み出し（Ｓ１００５）、Ｓ１００４のステップで受信した伝達関数の係数と比較し更新する必要があれば、係数を書換え、記憶されている情報と同等であればデータを保持する（Ｓ１００６）。前ステップＳ１００６で書き換えたデータを改めて車両記憶手段６０９へ記憶する。
【００８４】
以上のことから、図５のように自転車１に対し複数の無線キー５に個別の伝達関数の係数を記憶しておけば、使用者ごとに速度に対する補助駆動の制御量を可変することができ使用者にあった仕様の自転車を実現することができる。ここでは、速度に対する補助駆動手段の制御量に関する伝達関数を制御したが、走行時間、踏力、回転数、体重、運動量等で補助駆動手段の制御量を決める伝達関数でもよいし、上記であげた量を複数用いて制御量を算出する伝達関数でもよい。したがって無線キーから送信される電文内の情報もこれらの伝達関数の係数、あるいは伝達関数そのもの、あるいは、上記情報を直接含んだ情報でもかまわない。
【００８５】
（実施の形態５）
図１１に実施の形態５における自転車１およぶ無線キー５の内部ブロック図を示す。ここでは、実施の形態３および４と同様の機能を有する構成に関する説明は省略し、図６および図８と相違する自転車１内のブロックと無線キー５について説明を行う。
【００８６】
自転車１内の踏力検出手段６１０は、自転車１のペダルに接続されている車軸にかかる力を検出する。また制御手段６０２は、前記踏力検出手段６１０で取得した踏力情報の他に、速度検出手段６０８から得られた速度情報、使用者が走行した距離、時間等の走行情
報データを含んだ電文を生成し、無線通信手段６０１で所定のプロトコルに合わせ変調し、無線キー５へ送信する。
【００８７】
前記踏力検出手段６１０は、自転車１のペダルに接続される車軸にかかる力を、ピエゾ素子等で応力を電圧に変換し算出を行う。
【００８８】
一方、無線キー５内のキー演算手段６５２では、キー無線通信部６０１を介して自転車１へ送信する自転車１の個別仕様設定情報を生成する。個別仕様設定情報は、自転車１内で、速度検出手段６０８等から出力される情報から補助駆動手段６０６の制御量に算出する伝達関数、またはその係数に関するものである。キー演算手段６５２では、記憶手段６５１内に記憶されている個別仕様設定情報を自転車１から送信されてくる走行情報データで更新する。
【００８９】
次に図１２、図１３を用いて、キー演算手段６５２で個別仕様設定情報を更新する方法について説明する。図１２は、自転車１から送信されてくる走行情報データのうち踏力情報を使って、前記伝達関数の係数の倍率を算出するグラフを示している。図１２によると踏力情報が５のときは、倍率０．４の数値を得る。続いて図１３では、前回までに使用していた個別仕様設定情報Ｃ０〜Ｃ４の値に、倍率０．４を掛け合わせ個別仕様設定情報を更新していることを示している。更新した個別仕様設定情報は、記憶手段６５１に記憶され、自転車１へも送信される。
【００９０】
次に図１４を用いて、自転車１と無線キー５間で走行情報データから個別仕様設定情報を更新するシーケンスについて説明していく。自転車１と無線キー５間では、チャレンジアンドレスポンス方式を用い周期的に認証通信をおこなっている。無線キー５はあらかじめ定められた周期でサーチ電文を送信する（Ｓ１４０１）。自転車１では、Ｓ１４０１の電文を受信するとあらかじめ識別ＩＤを含む電文を無線キー５へ送信する（Ｓ１４０２）。無線キー５では、あらかじめ自転車１と縁組された際の識別ＩＤと一致した際には、識別ＩＤが一致した旨を通信する信号を自転車１へ送信する（Ｓ１４０３）。自転車１では、Ｓ１４０３で送信された電文を受信するとチャレンジリクエストを無線キー５へ送信する（Ｓ１４０４）。チャレンジリクエストを受信した無線キー５は、乱数を発生させ生成したチャレンジ信号を自転車１へ返し（Ｓ１４０５）、チャレンジ信号を受信した自転車１は、この信号に対して暗号化処理を行なって生成したレスポンス信号を無線キー５へ送信する（Ｓ１４０６）。続いて、レスポンス信号を受信した無線キー５は、復号化したレスポンス信号とチャレンジ信号とが一致するか確認し、一致すれば認証に成功したと判断しその旨を自転車１へ送信する（Ｓ１４０７）。認証が成立した際には、自転車１から走行情報データを無線キー５へ送信する（Ｓ１４０８）。無線キー５では、走行情報データをもとに記憶手段６５１に記憶されている個別仕様設定データを更新し、記憶手段６５１に記憶しなおすとともに、キー無線通信手段６５０を介して自転車１へ送信する（Ｓ１４０９）。自転車１では、無線キー５より送信された個別仕様設定データを無線通信部６０１で受信し、制御手段６０２で、あらかじめ記憶されていた車両記憶手段６０９の情報を個別使用設定データで更新する。
【００９１】
一方、認証に失敗した場合には、無線キー５はサーチ電文を送信するモードへ待ち受けモードに移行する。なお、自転車１−無線キー５間でのチャレンジアンドレスポンス方式を用いた認証中に、上述の信号の送受が途絶えた場合でも、自転車１は待ち受けモードに移行して識別ＩＤの送信を開始することになる。
【００９２】
以上のことから、自転車１に対し複数の無線キー５に個別の伝達関数の係数を記憶しておけば、使用者ごとに速度に対する補助駆動の制御量を可変することができ、かつ使用者の利用状況に応じて、走行時間、走行距離、踏力情報を取得しその情報を使って前記制御
量を更新していくことができる。これにより使用者の体の状態、嗜好等によってきめ細かいカスタマイズが可能となる。ここでは、速度に対する補助駆動手段の制御量に関する伝達関数を制御したが、走行時間、踏力、回転数、体重、運動量等で補助駆動手段の制御量を決める伝達関数でもよいし、上記であげた量を複数用いて制御量を算出する伝達関数でもよい。したがって無線キーから送信される電文内の情報もこれらの伝達関数の係数、あるいは伝達関数そのもの、あるいは、上記情報を直接含んだ情報でもかまわない。
【００９３】
（実施の形態６）
図１５に実施の形態６における自転車１および無線キー５の内部ブロック図を示す。ここでは、実施の形態３、４および５と同様の機能を有する構成に関する説明は省略し、図６、図８、図１１と相違する無線キー５について説明を行う。
【００９４】
無線キー５内の運動量検出手段６５３は、無線キー５が使用者に保持され、かつ自転車１に搭乗していない状態での使用者の運動量を検出する。ここで言う運動量とは、使用者が徒歩等で移動した距離、そのときの消費カロリー、歩数等を検出する。
【００９５】
また、キー演算手段６５２は、運動量検出手段６５３の出力を基にあらかじめ決められた時間内で使用者が運動自転車１に登場していない状態で運動積算量を算出する。加えて、記憶手段６５１に記憶されている個別仕様設定情報を運動積算量に基づいて更新する。
【００９６】
運動量検出手段６５３は、加速度センサー、角度センサー、圧力センサー、重力センサー、方向センサー等でいずれかで構成され、無線キー５を保持している使用者が、運動するとセンサー出力においてレベル変動が生る。このレベル変動をキー演算手段６５２に入力し、演算手段６５２でセンサー出力の変動回数を捕らえ運動積算量を算出する。
【００９７】
以上のことから、無線キー５を保持した使用者が、自転車１に搭乗していない状態で、どの程度運動しているかを把握することができ、その情報を基に、個別仕様設定情報を作成する。さらに個別仕様設定情報を基に速度検出手段の出力に対する自転車１の補助駆動手段の制御量を算出する伝達関数を生成することができ、たとえば使用者が運動不足と判断すれば、前記制御量を小さくしたり、使用者が十分運動していると判断できれば、制御量を多く設定することができる。つまり、使用者の固有情報を、使用者の状態に応じて細かく可変することができ、きめ細かいカスタマイズ化が図れる。
【００９８】
（実施の形態７）
図１６に実施の形態７における自転車１および無線キー５の内部ブロック図を示す。ここでは実施の形態３、４，５、６と同様の機能を有する要素に関する説明は省略し、図６、図８、図１１、図１５と相違する無線キー５について説明を行う。
【００９９】
無線機５内の時刻出力手段６５４は、水晶振動子、セラミック振動子、発振回路、または水晶、セラミック素子を用いた発振回路で構成されており、時刻を出力する。記憶手段には、個別仕様設定情報および、時刻に対する倍率を出力する関数が記憶されている。キー演算手段６５２は、個別仕様設定情報を自転車１へ送信する際には、送信する時刻にあわせて、補正をかけ送信を行なう。
【０１００】
個別仕様設定情報の補正について図１７を用いて説明を行なう。記憶手段６５１には、個別仕様設定情報（アドレスＣ０〜Ｃ４に対して補助制御量０、２、４、２、１）と時刻に対する倍率を記載したテーブルを記憶している。キー演算手段６５２では、はじめに、個別仕様設定情報を読み出し、続いて時刻出力手段６５４から時刻を読み出す。図１７では、１８：４５という時刻を読み出す。次にキー演算手段６５２は、１８：４５という時刻に該当する倍率を、記憶手段６５１に記憶されている倍率のテーブルを探索する。ここ
では１８：４５という時刻は１７：００〜２４：００という範囲に当てはまり倍率２を読み出す。続いて、倍率２をすでに読み出している個別仕様設定情報のアドレスＣ０〜Ｃ４の値全てに掛け算し、補正を完了する。
【０１０１】
以上のことから、無線キー５を保持した使用者が、自転車１に搭乗しようとする時刻にあった個別仕様設定を行い自転車の乗ることができる。これにより使用者の行動パターンを予測し仕様を自動的に可変することができる。たとえば、朝は、急いでいることが多く補助制御量も多く、できるだけ楽に自転車を運転できるように、午後は時間に余裕があると予測し、速く運転するよりは健康維持のことを考えて、補助制御量を少なく、夕方は、一日の疲れがたまっているので、楽に自転車を運転できるように補助制御量をきめるなど、きめ細かい仕様を決めることができる。
【０１０２】
なお、本実施の形態で説明した内容は、ＣＰＵ（またはマイコン）、ＲＡＭ、ＲＯＭ、記憶・記録装置、Ｉ／Ｏなどを備えた電気・情報機器、コンピュータ、サーバー等のハードリソースを協働させるプログラムの形態で実施してもよい。プログラムの形態であれば、磁気メディアや光メディアなどの記録媒体に記録したりインターネットなどの通信回線を用いて配信することで新しい機能の配布・更新やそのインストール作業が簡単にできる。
【産業上の利用可能性】
【０１０３】
本発明の鍵施錠システム、及びプログラムによれば、車両の解施錠に、車両が走行中か否かを連携させることで、安全な解施錠を実現することができる。
【０１０４】
さらに、車両の所有者が携帯する無線キーを利用した本人認証を行うことで、利用者の煩わしさを大幅に軽減できると共に、解施錠の信頼性を向上させるという効果を奏し、無線通信を利用して認証を行う車両の携帯無線装置、認証対象装置、及び認証制御方法の分野に関して有用である。
【図面の簡単な説明】
【０１０５】
【図１】（ａ）本発明の実施の形態１の解施錠システムの状態図（ｂ）本発明の実施の形態１の解施錠システムの状態図
【図２】本発明の実施の形態２の解施錠システムの状態図
【図３】本発明の実施の形態２の解施錠システムの動作フロー図
【図４】本発明の実施の形態２の解施錠システムの動作フロー図
【図５】本発明の実施の形態３のシステム外略図
【図６】本発明の実施の形態３における自転車と無線キーの内部ブロック図
【図７】本発明の実施の形態３におけるサドル自動調整フロー図
【図８】本発明の実施の形態４における自転車と無線キーの内部ブロック図
【図９】本発明の実施の形態４における車両記憶手段と記憶手段に記憶されている伝達関数の図
【図１０】本発明の実施の形態４における伝達関数の更新フロー図
【図１１】本発明の実施の形態５における自転車と無線キーの内部ブロック図
【図１２】本発明の実施の形態５における踏力から倍率を算出するグラフ
【図１３】本発明の実施の形態５の記車両記憶手段内データの更新方法に関する図
【図１４】本発明の実施の形態５における伝達関数更新時の通信フロー図
【図１５】本発明の実施の形態６における自転車と無線キーの内部ブロック図
【図１６】本発明の実施の形態７における自転車と無線キーの内部ブロック図
【図１７】本発明の実施の形態７における記憶手段内データの更新方法に関する図
【符号の説明】
【０１０６】
１  自転車
２  走行検知部
３  解施錠部
４  入力部
５  無線キー
６０１  無線通信部
６０２  制御手段
６０３  駆動手段
６０４  サドル
６０６  補助駆動手段
６０７  ペダル車軸
６０８  速度検出手段
６０９  車両記憶手段
６１０  踏力検出手段
６５０  キー無線通信手段
６５１  記憶手段
６５２  キー演算手段
６５３  運動量検出手段  
６５４  時刻検出手段
【図１】
2010089521.tif 000003
【図２】
2010089521.tif 000004
【図３】
2010089521.tif 000005
【図４】
2010089521.tif 000006
【図５】
2010089521.tif 000007
【図６】
2010089521.tif 000008
【図７】
2010089521.tif 000009
【図８】
2010089521.tif 000010
【図９】
2010089521.tif 000011
【図１０】
2010089521.tif 000012
【図１１】
2010089521.tif 000013
【図１２】
2010089521.tif 000014
【図１３】
2010089521.tif 000015
【図１４】
2010089521.tif 000016
【図１５】
2010089521.tif 000017
【図１６】
2010089521.tif 000018
【図１７】
2010089521.tif 000019